(57)【要約】【課題】    採尿の際、尿瓶本体の首部が角度調整できず、不自然な無理な姿勢で行う採尿は、困難で苦労し、漏れ出したりして、揚句の果てには、不安定、不快感を生じ、また、尿瓶本体へ直接の採尿であるので、尿が始末される際には、尿に手が触れて、不衛生であり、不愉快であった。そして、尿瓶を使用後には、必ず、その尿瓶を洗浄しておかなければならず面倒であり、不都合である。よって、患者並びに介護者に負担を負わせることになり、よくなかった。【解決手段】尿瓶本体と、採尿受け部と、これらを接続する接続筒でなり、該接続筒が尿瓶本体の首部の口に挿入される下部接続筒と、該下部接続筒に薄肉の連結帯をもって接続する上部接続筒とで構成され、該上部接続筒には尿瓶本体の内部に収容する使い捨て尿袋の開口端部を折り返して上部接続筒と採尿受け部とで挟み締め止めする角度調整でき、洗浄がいらない尿瓶に関するものである。【選択図】図１
2014100447.tif 000002
【特許請求の範囲】
【請求項１】
尿瓶本体と、カップ部と注出筒とでなる採尿受け部と、これらを接続する接続筒とでなり、該接続筒が尿瓶本体の首部の口に挿入される下部接続筒と、該下部接続筒に薄肉の連結帯をもって接続する上部接続筒とで構成され、該上部接続筒には、尿瓶本体の内部に収容する使い捨て尿袋の開口部の開口端部を折り返して上部から外周部に被せ、この折り返された開口端部を該上部接続筒を採尿受け部の注出筒とで挟み締め止めすることを特徴とする角度調整でき、洗浄がいらない尿瓶。
【請求項２】
男性用採尿受け部として、その採尿受け部のカップ部にＵ字状切欠部を形成したことを特徴とする請求項１記載の角度調整でき、洗浄がいらない尿瓶。
【発明の詳細な説明】
【技術分野】
【０００１】  本発明は、患者が採尿する際に、漏れ出ないよう採尿受け部を角度調整でき、洗浄する必要がないように尿袋を収納した尿瓶に関するものである。
【背景技術】
【０００２】  従来、患者が寝たまま、座ったまま、または腰掛けたままで排尿される際、排尿行為を不自然で無理な姿勢で行うため、尿が尿瓶に流れ込み難く、外部に漏れ出して周囲を汚してしまうことがあったので、尿瓶の首部にホースを接続し、該ホースの先端に採尿受け部を備えたものがある。
採尿受け部には、尿の漏れ出しがないように周縁部に内方へカールした尿戻り止め縁を延設させている。（特許文献１）【０００３】  また、プラスチックの尿袋を尿瓶の内部に収容させ、該尿袋は、その開口部の開口端部を尿瓶の首部の口の外周部に折り返して被せ、折り返した該開口端部が縛られて尿瓶の首部び締め付けられ、尿が手に触れることなく衛生的に始末され、尿瓶を洗浄する必要のないので介護者の負担を軽減するものである。（特許文献２）
【先行技術文献】
【特許文献】
【０００４】
【特許文献１】  特開２００６−２８８５６７号公報
【特許文献２】  実用新案登録第３０６４１１５号公報
【発明の概要】
【発明が解決しようとする課題】
【０００５】  従来の尿瓶の首部にホースを介して接続した採尿受け部は、採尿する際に、採尿仕易いように、一応、ホースによって採尿受け部の角度調整できるようにされたものであるが、採尿受け部が局部に密着させられるものであって、尿瓶本体に直接、局部を接触させるものでないので、不快感と、尿の漏れによる不安感とを生じ、且つ、採尿受け部の周縁部に内方カールが施され、漏れ出し防止させたとしても、結局は、尿で肌が濡れて、不衛生であり、且つ不愉快であった。
また、尿瓶に採尿されて尿が始末された後には、必ず、尿瓶及びホース等を、いちいち洗浄しなければならず、患者並びに介護者の負担となり、不都合であった。【０００６】  ところで、尿瓶の内部にプラスチックシートの尿袋を収容し、採尿した尿を始末するには、尿袋を廃棄すればよいとした洗浄する必要のない尿瓶が一応あるが、しかし、この尿瓶は、尿袋がその開口部の開口端部を折り返して尿瓶の首部の外周部に被せ、尿瓶自体が汚れないようにされているが、採尿受け部が尿瓶に固定され、この尿瓶での採尿には、尿瓶の首部が角度調整できず、患者自身が尿瓶の採尿受け部に合わせて姿勢をとらなければならず、取扱いが困難で苦労し、不都合であった。
【課題を解決するための手段】
【０００７】  本発明汚の角度調整でき、洗浄がいらない尿瓶は、尿瓶本体と、カップ部と注出筒とでなる採尿受け部と、これらを接続する接続筒とでなり、該接続筒が尿瓶本体の首部の口に挿入される下部接続筒と、該下部接続筒に薄肉の連結帯をもって接続する上部接続筒とで構成され、該上部接続筒には、尿瓶本体の内部に収容する使い捨て尿袋の開口部の開口端部を折り返して上部から外周部に被せ、この折り返された開口端部を該上部接続筒と採尿受け部の注出筒とで挟み締め止めするものである。【０００８】  本発明の角度調整でき、洗浄がいらない尿瓶は、男性用採尿受け部として、その尿受け部のカップ部にＵ字状切欠部を形成したものである。
【発明の効果】
【０００９】  本発明の角度調整でき、洗浄がいらない尿瓶は、尿瓶本体と採尿受け部とを接続する接続筒が、尿瓶本体の首部の口に挿入された下部接続筒と、これに薄肉の連結される上部接続筒とで構成され、使い捨て尿袋の開口部の開口端部を折り返して該上部接続筒の上部から外周部に被せ、この折り返された開口端部が上部接続筒と採尿受け部の注出筒とで挟み締め止めされている。該下部接続筒と該上部接続筒とが薄肉の連結帯で屈曲可能に接続されているので、尿瓶本体に対して、採尿受け部を角度調整することができ、寝たまま、座ったまま等の如何ような姿勢でも自由に方向を変えることができ、漏れ出すことのない、そして安心して採尿でき、しかも採尿仕易くでき、他人の手を煩わせることなく行うことができる。【００１０】  本発明は角度調整でき、洗浄がいらない尿瓶は、使い捨て尿袋が尿瓶本体の内部に収容され、その尿袋の開口部の開口端部を尿瓶本体の首部の口に挿入された下部接続筒に連結帯を介して接続された上部接続筒の外周部に折り返しされて被せ、この折り返された開口端部が採尿受け部の注出筒とで挟み締め止めされるので、採尿した後、尿を始末するには、尿袋がその開口端部を接続筒より外し、尿瓶本体より抜き取ることによって廃棄処理されればよいことであって、尿が手に触れることなく、衛生的に容易に処理でき、よって、尿瓶本体や接続筒等を洗浄する手間が省かれ、患者並びに介護者の手を煩わせることなくできる。【００１１】  本発明は角度調整でき、洗浄がいらない尿瓶は、男性用採尿受け部として、その採尿受け部のカップ部にＵ字状切欠部を形成することによって、男性患者自身が他人の手助けを受けずに採尿受け部のカップ部へのフィットした角度調整を簡便、且つ容易にできることになる。
【図面の簡単な説明】
【００１２】
【図１】  角度調整でき、洗浄がいらない尿瓶についてのキャップを付設した全体構造図である。
【図２】  角度調整でき、洗浄がいらない尿瓶についての接続筒への受皿を付設した構造斜視図である。
【図３】  角度調整でき、洗浄がいらない尿瓶について、使い捨て尿袋を取付けた接続筒に採尿受け部が組付けられる構造図である。
【図４】  角度調整でき、洗浄がいらない尿瓶の採尿受け部の上面図である。
【図５】  角度調整でき、洗浄がいらない尿瓶の採尿受け部に被冠するキャップの上面図である。
【図６】  角度調整でき、洗浄がいらない尿瓶における男性用採尿受け部の上面図である。
【発明を実施するための形態】
【実施例１】
【００１３】  本発明は角度調整ができ、洗浄がいらない尿瓶の実施の形態を図面によって説明する。
角度調整でき。洗浄がいらない尿瓶は、図１に示す如く、尿瓶本体１と、採尿受け部２と、これらを接続する接続筒３とでなり、採尿受け部２は、図３、図４で示す如く、カップ部２１と注出筒２２とでなっており、接続筒３は、図２、図３に示す如く、尿瓶本体１の首部１１の口に挿入される下部接続筒３１と、尿瓶本体１の内部に収容する使い捨て尿袋４の開口部の開口端部４１を折り返されて外周部３２２に被せ、その折り返された開口端部４１を採尿受け部２の注出筒２２とで挟み締め止めする上部接続筒３２と、これら上部接続筒３２と下部接続筒３１とを接続する薄肉の弾発力を要した連結帯３３とで構成される。
尿瓶本体１には、持ち運び易くする握り手１２が側面に備えられている。
採尿受け部２には、図５に示す如く、不使用時に被冠する摘み手５１付きキャップ５が付設されている。
また、図２には、尿瓶本体１より抜いた状態の接続筒３を載置するための受皿６が備えられている。【００１４】  そこで、尿瓶本体１の内部に使い捨て尿袋４を収容し、その使い捨て尿袋４の開口端部４１が接続筒３を貫挿させて上部接続筒３２の外周部に折り返し被せられ、この折り返し被せられた開口端部４１を該上部接続筒と採尿受け部２の注出筒２２とで挟み締め止めすると共に、下部接続筒３１を尿瓶本体１の首部１１の口に装着させる。
不使用時には、キャップ５を採尿受け部２に被冠しておくが、採尿時にはキャップ５を外して使用に供する。【００１５】  採尿に際しては、寝たままでも、座ったままでも患者自身が、無理な姿勢に合わせた尿瓶の採尿受け部２の角度調され、角度調整は、接続筒３の下部接続筒３１と上部接続筒３２とを接続する連結帯３３が薄肉の弾発力を要するものであるので、患者自身に合った不快感、不愉快感を起させない姿勢に採尿受け部２の角度が調整される。【００１６】  採尿受け部２の角度調整されることによって、患者は、独自で、無理なく尿袋４の開口端部４１へ局部を導くことができる。
採尿をし終えた後、尿を始末するには、採尿受け部２を接続筒３より外し、該接続筒及び尿瓶本体１より尿袋４を抜き取って該尿袋が廃棄されればよいことになる。よって、尿の始末が、尿が手に触れることなく、衛生的に、且つ使用した後の尿瓶本体１、接続筒３等を洗浄しなくてよいことになる。
尚、不使用には、尿瓶本体１と、該尿瓶本体より外した接続筒３を受皿６に載置し、該接続筒にキャップ５を被冠して接続筒３に嵌め合わせたものが保管されればよいことになる。
【実施例２】
【００１７】  角度調整でき、洗浄がいらない尿瓶において、男性用採尿受け部について、図面によって説明する。
図６に示す如く、男性用採尿受け部７は、カップ部７１と、注出筒７２とでなり、該カップ部の短い鍔部部分にはＵ字状切欠部７３が形成されている。
Ｕ字状切欠部７３は、男性が採尿する際、局部が押えられたり、曲げられたりすることなく、採尿受け部７が使用されるようにするものである。
【符号の説明】
【００１８】１        尿瓶本体
１１      首部
１２      握り手
２        採尿受け部
２１      カップ部
２２      注出筒
３        接続筒
３１      下部接続筒
３２      上部接続筒
３２２    外周部
３３      連結帯
４        尿袋
４１      開口端部
５        キャップ
５１      摘み手
６        受皿
【図１】
2014100447.tif 000003
【図２】
2014100447.tif 000004
【図３】
2014100447.tif 000005
【図４】
2014100447.tif 000006
【図５】
2014100447.tif 000007
【図６】
2014100447.tif 000008